(57)【要約】【課題】使用時には耐荷重に優れて安全に作業可能であり、収納時には簡単に折りたたむことが可能であって持ち運び易い、新規な折りたたみ式の踏み台を提供する。【解決手段】本考案の折りたたみ式の踏み台は、２枚の天板１ａ、１ｂを回動自在に相互に結合する第１のヒンジ１ｃを備える踏み板１と、踏み板１の縁部を支持する側壁２からなり、側壁２は、第１のヒンジ１ｃの軸に沿う向きに対向する一対の第１の側壁２ａと、第１の側壁２ａの側縁に設けた第２のヒンジ２ｂを介し、第１の側壁２ａと連結して周囲を取り囲む一対の第２の側壁２ｃを有し、第１の側壁２ａは、２枚の横壁２ａ１、２ａ２と、横壁２ａ１、２ａ２を回動自在に相互に結合する第３のヒンジ２ｄとからなり、踏み板１の縁部に、第１のヒンジ１ｃと平行に回動する第４のヒンジ１ｄを設けて一対の第２の側壁２ｃのそれぞれと連結したことを特徴とする。【選択図】図１
0003159702.tif 000002
【実用新案登録請求の範囲】
【請求項１】
２枚の天板を有し、該天板を回動自在に相互に結合する第１のヒンジを備える踏み板と、該踏み板の縁部を支持する側壁からなる折りたたみ式踏み台であって、
前記側壁は、前記第１のヒンジの軸に沿う向きに対向する一対の第１の側壁と、該第１の側壁の側縁に設けた第２のヒンジを介し、該第１の側壁と連結して口字状をなす一対の第２の側壁と、を有し、
前記第１の側壁は、２枚の横壁と、該横壁を回動自在に相互に結合する第３のヒンジとからなり、
前記踏み板の縁部に、前記第１のヒンジと平行に回動する第４のヒンジを設けて前記一対の第２の側壁のそれぞれと連結したことを特徴とする、折りたたみ式踏み台。
【請求項２】
前記踏み板は、前記一方の天板と結合する把持部を備え、前記他方の天板に該把持部に対応する切欠き部を設けることを特徴とする、請求項１記載の折りたたみ式踏み台。
【請求項３】
前記踏み板の切欠き部に、前記把持部を支持する支持壁を設け、前記第１の側壁に、前記踏み板の凸部と当接して該踏み板を支持する突起を形成することを特徴とする、請求項１又は２記載の折りたたみ式踏み台。
【請求項４】
前記踏み板は、該踏み板の外表面に多数の凸部を有するとともに、弾性部材を挿入する凹所を備えることを特徴とする、請求項１〜３何れかに記載の折りたたみ式踏み台。
【考案の詳細な説明】
【技術分野】
【０００１】
本考案は、使用時には耐荷重に優れて安全に作業可能であり、収納時には簡単に折りたたむことができて持ち運び易い、折りたたみ式の踏み台に関するものである。
【背景技術】
【０００２】
従来より、作業者が登って使用する踏み台は、これを収納する際には場所をとらないように折りたたみ可能とする、折りたたみ式の踏み台（例えば特許文献１参照）が知られている。前記折りたたみ式の踏み台は、使用時には脚を水平方向に広げるとともにこの脚が傾いて倒れないように支持部材を所定位置に取り付け、逆に収納時にはこの支持部材を取り外す必要があり、より簡単に切り替えができることが求められていた。
【先行技術文献】
【特許文献】
【０００３】
【特許文献１】特開平１０−１４６２４５号公報
【考案の概要】
【考案が解決しようとする課題】
【０００４】
本考案の課題は、使用時の脚を広げた状態（以下、使用状態という）と収納時の折りたたんだ状態（以下、収納状態という）の切り替えを簡単に行うことが可能な、新規な折りたたみ式踏み台を提案するところにある。
【課題を解決するための手段】
【０００５】
本考案は、２枚の天板を有し、該天板を回動自在に相互に結合する第１のヒンジを備える踏み板と、該踏み板の縁部を支持する側壁からなる折りたたみ式踏み台であって、
前記側壁は、前記第１のヒンジの軸に沿う向きに対向する一対の第１の側壁と、該第１の側壁の側縁に設けた第２のヒンジを介し、該第１の側壁と連結して口字状をなす一対の第２の側壁と、を有し、
前記第１の側壁は、２枚の横壁と、該横壁を回動自在に相互に結合する第３のヒンジとからなり、
前記踏み板の縁部に、前記第１のヒンジと平行に回動する第４のヒンジを設けて前記一対の第２の側壁のそれぞれと連結したことを特徴とするものである。
【０００６】
前記踏み板は、前記一方の天板と結合する把持部を備え、前記他方の天板に該把持部に対応する切欠き部を設けることが望ましい。
【０００７】
前記踏み板の切欠き部に、前記把持部を支持する支持壁を設け、前記第１の側壁に、前記踏み板の凸部と当接して該踏み板を支持する突起を形成することが望ましい。
【０００８】
前記踏み板は、該踏み板の外表面に多数の凸部を有するとともに、弾性部材を挿入する凹所を備えることが望ましい。
【考案の効果】
【０００９】
踏み板を２枚の天板を第１のヒンジで回動自在に相互に結合し、側壁を前記第１のヒンジの軸に沿う向きに対向して中央で折れ曲がる一対の第１の側壁と、該第１の側壁の側縁に設けた第２のヒンジを介して連結する一対の第２の側壁とからなる構成とし、前記踏み板の縁部に、前記第１のヒンジと平行に回動する第４のヒンジを設けて前記一対の第２の側壁のそれぞれと連結するようにしたので、踏み板の中央部分を持ち上げるだけで収納状態となり、前記第２の側壁を広げるだけで使用状態となって、使用時と収納時の切り替えが簡単に行えるようになる。
【００１０】
踏み板の一方の天板に把持部を設け、他方の天板に該把持部に対応する切欠き部を形成したので、使用時には把持部が邪魔になることがなく、収納時には該把持部をつかんで持ち上げるだけで折りたたむことができ、つかんだままの状態で移動させることが可能であって使い勝手がよい。
【００１１】
踏み板の切欠き部に、前記把持部を下方から支持する支持壁を設けたので、踏み板の上に登った際の踏み板の内側へのたわみを抑制することが可能となり、また第１の側壁に、前記踏み板の凸部と当接して該踏み板を下方から支持する突起を形成したので、該踏み板と直接結合していない該第１の側壁においても十分に支えることができ、高い耐荷重を得ることができる。
【００１２】
踏み板の外表面に多数の凸部を形成するとともに、弾性部材を挿入する凹所を備えているので、踏み板の上に登った作業者が誤って足を滑らせるおそれが軽減される。
【図面の簡単な説明】
【００１３】
【図１】本考案にしたがう折りたたみ式踏み台の実施の形態につき、使用状態を斜視図で示した図である。
【図２】本考案にしたがう折りたたみ式踏み台の実施の形態を示した図であり、（ａ）は使用状態を踏み板側から示した図であり、（ｂ）は図２（ａ）のＡ−Ａ断面を拡大した図である。
【図３】本考案にしたがう折りたたみ式踏み台の実施の形態につき、使用状態を第１の側壁側から示した図であり、一部を破断線で区画して内部構造を示している。
【図４】本考案にしたがう折りたたみ式踏み台の実施の形態につき、収納状態を斜視図で示した図である。
【考案を実施するための形態】
【００１４】
以下、図面を参照して、本考案をより具体的に説明する。
【００１５】
図１における１は踏み板である。前記踏み板１は、天板１ａと天板１ｂの２枚の天板を有し、該天板１ａと該天板１ｂを回動自在に相互に結合する第１のヒンジ１ｃを備えている。前記踏み板１は、使用状態においては該天板１ａと該天板１ｂとが同一高さの１つの平面となる。
【００１６】
２は、使用状態において前記踏み板１の縁部を下方から支持して踏み台の脚となる、側壁である。前記側壁２は、前記第１のヒンジ１ｃの軸に沿う向きに対向する一対の第１の側壁２ａと、該第１の側壁２ａの両側の側縁にそれぞれ設けた第２のヒンジ２ｂと、該第２のヒンジ２ｂを介して該第１の側壁２ａと連結する一対の第２の側壁２ｃを有し、該一対の第１の側壁２ａと該一対の第２の側壁２ｃとの連係で口字状となっている。前記第１の側壁２ａと、第２の側壁２ｃは長方形であっても正方形であってもよいが、それぞれの側壁を正面から見た際に上方幅狭で下方幅広となる台形であることが使用時の安全性の観点から好ましい。
【００１７】
前記第１の側壁２ａは、横壁２ａ１と横壁２ａ２の２枚の横壁を有し、該横壁２ａ１と該横壁２ａ２を回動自在に相互に結合する第３のヒンジ２ｄを備えており、該第３のヒンジ２ｄは前記第１のヒンジ１ｃの軸と直交する回動軸を有している。また前記第１の側壁２ａは、前記側壁２の内側への折れ曲がり（谷折り）は可能であるが、図示しないストッパーにより外側への折れ曲がり（山折り）が阻止されている。
【００１８】
前記踏み板１は、前記第２の側壁２ｃが支持する縁部に、前記第１のヒンジ１ｃと平行に回動する第４のヒンジ１ｄを備えており、前記一対の第２の側壁２ｃのそれぞれと連結し、前記天板１ａと天板１ｂが該第２の側壁２ｃと回動自在となっている。
【００１９】
前記天板１ａは、前記天板１ｂと向かい合う側面に把持部１ｅを一体に備えることが好ましい。この際、前記天板１ｂは、前記把持部１ｅに対応する切欠き部１ｆを有し、該把持部１ｅが踏み板１が形成する平面より飛び出さないようにしている。また前記切欠き部１ｆは下部に支持壁１ｇを備えることが望ましい。これにより使用状態において前記把持部１ｅを下から支えて前記踏み板１の内側へのたわみを抑制することが可能となる。
【００２０】
図３の破断部に示すように、前記踏み板１は裏面に凸部ｈ１を有するとともに、前記第１の側壁２ａは上部に突起ｈ２を備え、該凸部ｈ１と該突起ｈ２が相互に当接することが好ましい。これにより該第１の側壁２ａでも該踏み板１を支持することが可能となる。また前記第１のヒンジ１ｃの外側端部１ｃ１を前記第３のヒンジ２ｄに当接させることでより強固に支持することが可能となる。
【００２１】
前記踏み板１の外表面には、図２（ｂ）に示す多数の凸部ｐを有するとともに、図示しない弾性部材を挿入する、複数の凹所１ｈを備えることが好ましい。前記弾性部材は種々の材料を採用することが可能であり、例えばゴムやウレタンが用いられる。また前記弾性部材の固定は、凹所１ｈへの圧入でも、接着剤や両面テープによる接着でもよい。
【００２２】
前記踏み板１及び側壁２は、合成樹脂で形成することが好ましい。これにより軽量化を図ることが可能となる。この際、前記踏み板１及び側壁２の裏面に補強用のリブを設けることで、軽量化を図りながら強度を確保することができる。
【００２３】
収納時においては前記踏み板１の中央部を上部に引き上げる。この時前記踏み板１は、前記第１のヒンジ１ｃで回動して外側へ折れ曲がり（山折り）、対向する前記第２の側壁２ｃは互いに近づく向きに力を受け、前記第１の側壁２ａは、内側へ折れ曲がる（谷折り）。すなわち、前記踏み板１の中央部を持ち上げるだけで収納状態となる。特に前記把持部１ｅを備える場合は、該把持部１ｅに指をかけて上方へ引き上げることで図４に示す該把持部１ｅが起立する収納状態となり、そのまま該把持部１ｅを握って移動させることができる。
【００２４】
使用時においては、前記第２の側壁２ｃを広げるだけで、周囲を取り囲んで脚部となる前記側壁２が形成されるとともに、折りたたまれた前記天板１ａと天板１ｂが広がって該側壁２で支持される前記踏み板１となる。
【産業上の利用可能性】
【００２５】
本考案によれば、使用時には耐荷重に優れて安全に作業可能であり、収納時には簡単に折りたたむことが可能であって持ち運び易い、新規な折りたたみ式踏み台を安定的に供給できる。
【符号の説明】
【００２６】
１    踏み板
１ａ  天板
１ｂ  天板
１ｃ  第１のヒンジ
１ｃ１  外側端部
１ｄ  第４のヒンジ
１ｅ  把持部
１ｆ  切欠き部
１ｇ  支持壁
１ｈ  凹所
２    側壁
２ａ  第１の側壁
２ａ１  横壁
２ａ２  横壁
２ｂ  第２のヒンジ
２ｃ  第２の側壁
２ｄ  第３のヒンジ
ｈ１    凸部
ｈ２    突起
ｐ    凸部
【図１】
0003159702.tif 000003
【図２】
0003159702.tif 000004
【図３】
0003159702.tif 000005
【図４】
0003159702.tif 000006
【手続補正書】
【提出日】平成22年3月18日(2010.3.18)
【手続補正１】
【補正対象書類名】実用新案登録請求の範囲
【補正対象項目名】請求項３
【補正方法】変更
【補正の内容】
【請求項３】
前記切欠き部に、前記把持部を支持する支持壁を設け、前記第１の側壁に、前記踏み板の凸部と当接して該踏み板を支持する突起を形成することを特徴とする、請求項２記載の折りたたみ式踏み台。
【手続補正２】
【補正対象書類名】明細書
【補正対象項目名】０００７
【補正方法】変更
【補正の内容】
【０００７】
前記切欠き部に、前記把持部を支持する支持壁を設け、前記第１の側壁に、前記踏み板の凸部と当接して該踏み板を支持する突起を形成することが望ましい。
【手続補正３】
【補正対象書類名】明細書
【補正対象項目名】００１１
【補正方法】変更
【補正の内容】
【００１１】
前記切欠き部に、前記把持部を下方から支持する支持壁を設けたので、踏み板の上に登った際の踏み板の内側へのたわみを抑制することが可能となり、また第１の側壁に、前記踏み板の凸部と当接して該踏み板を下方から支持する突起を形成したので、該踏み板と直接結合していない該第１の側壁においても十分に支えることができ、高い耐荷重を得ることができる。